(57)【要約】【課題】  本発明は、先端詰まりのない泡立て器の提供を目的とする。【解決手段】  本発明は、先端が開閉可能な泡立て器であって、先端を開閉できる二股状の柄と、前記二股状本体の両先端部に取り付けられた複数本の線条からなる泡立て部と、を含み、前記泡立て部は、２本の柄の各々に取り付けられた複数のループ線条からなる散り蓮華状の線条体で、二股状の柄を接近するように押さえ込むと、２つの散り蓮華状の線条体が重なって茄子型になることを特徴とする。  また、泡立て部を複数の線条で構成し、直線部の先端方向に円弧状の曲線部を形成し、曲線部の先端には、球状頭部が固定されるようにしても良い。  二股状の柄には、泡立て部の側に容器の縁に引っ掛けておくことが出来る突起部を設けてもよいし、泡立て部の柄に取り付ける側に、容器の縁に引っ掛けておくことが出来るフックを備えてもよい。【選択図】図１
2008307243.tif 000002
【特許請求の範囲】
【請求項１】
先端が開閉可能な二股状の柄と、
前記柄の両先端部に取り付けられて伸びる複数本の線条からなる泡立て部と、
を含むことを特徴とする泡立て器。
【請求項２】
前記柄は、前記先端部が開く方向への弾性を有し、当該弾性に抗して押さえ込むことで先端が閉じることを特徴とする請求項１に記載の泡立て器。
【請求項３】
前記泡立て部は、複数の線条が外側に向かって凸となるように湾曲されており、前記先端部を閉じたとき、線条が合わさって茄子型になることを特徴とする請求項１に記載の泡立て器。
【請求項４】
前記泡立て部を構成する複数の線条は、直線部の先端方向に円弧状の曲線部が連設され、前記曲線部の先端には、球状頭部が設けられていることを特徴とする請求項１に記載の泡立て器。
【請求項５】
前記柄における泡立て部側に外部部材への引掛けがなされる突起部を設けたことを特徴とする請求項１に記載の泡立て器。
【請求項６】
前記泡立て部における前記柄側には、外部部材への引掛けがなされるフックを備えたことを特徴とする請求項４または５に記載の泡立て器。
【発明の詳細な説明】
【技術分野】
【０００１】
本発明は、食材をかき混ぜて泡を立てる泡立て器に係り、詳しくは、先端を開閉可能として泡立て器の洗浄性を容易にした泡立て器に関する。
【背景技術】
【０００２】
従来、泡立て器は、複数本の線条をループ状にして全体として茄子型等に形成したものが多いが、複数本のループを茄子型にしないで並立させたものや、先端部が曲線で構成される２本の棒線を電動駆動するものなどがある。
２本の棒線を電動駆動するものを除き、線条をループにしたものは、先端の曲線部に食材が詰まるため、泡立て器全体を振ってその詰まりを除去するなどの処処理を行なっていた。
また、泡立て器は、ボールなどの容器に一時仮置きする場合など、泡立て器の先端が滑って泡立て器全体が容器内の食材に埋没することがあった。
【特許文献１】特開２００５−０１３２４９号公報
【発明の開示】
【発明が解決しようとする課題】
【０００３】
本発明は、先端詰まりが無く、ボールなどの容器に一時仮置きする場合でも、泡立て器の先端が滑って泡立て器全体が容器内の食材に埋没することがない泡立て器の提供を目的とする。
【課題を解決するための手段】
【０００４】
本発明は、先端が開閉可能な二股状の柄と、前記柄の両先端部に取り付けられて伸びる複数本の線条からなる泡立て部と、を含むことを特徴とする。
【０００５】
前記柄は、前記先端部が開く方向への弾性を有し、当該弾性に抗して押さえ込むことで先端が閉じることを特徴とする。
【０００６】
前記泡立て部は、複数の線条が外側に向かって凸となるように湾曲されており、前記先端部を閉じたとき、線条が合わさって茄子型になることを特徴とする。
【０００７】
前記泡立て部を構成する複数の線条は、直線部の先端方向に円弧状の曲線部が連設され、前記曲線部の先端には、球状頭部が設けられていることを特徴とする。
【０００８】
前記柄における泡立て部側に外部部材への引掛けがなされる突起部を設けたことを特徴とする。
【０００９】
前記泡立て部における前記柄側には、外部部材への引掛けがなされるフックを備えたことを特徴とする。
【発明の効果】
【００１０】
本発明の泡立て器によれば、泡立て器の使用途中で先端部に詰まりが生じた場合には、二股状の柄を開いて泡立て部の先端を開き、詰まりを簡単に除去して引き続き作業を続けることが出来る。
また、泡立て器の使用途中で泡立て器を仮置きする場合は、容器の縁に柄の突起部または線条体のフックを引っ掛けることで、泡立て器が容器中の食材の中に埋没するのを防ぐことが出来る。
【発明を実施するための最良の形態】
【００１１】
以下、図面を参照して本発明の実施例を説明する。
【実施例１】
【００１２】
図１は、本発明の泡立て器の実施例を示すもので、泡立て器１は、二股状の柄２と、二股状の柄２の両先端部に取り付けられた複数本の線条からなる泡立て部３と、を含んで構成される。
二股状の柄２は、直径１５ｍｍ、長さは１５０ｍｍのフェノール樹脂製で、二股状の柄２は、２本の柄の各１端を結合して二股状にし、結合部に弾性力をもたせている。
【００１３】
柄２の両先端部には、複数のループ線条からなる散り蓮華状の線条体３が取り付けられている。
２本の柄２の弾性力により、通常は、泡立て部３の散り蓮華状線条体の先端は約１５°開いた状態となっている。
散り蓮華状線条体３は、直径０．５ｍｍのステンレス線をループ状にして全体として散り蓮華状にしたものである。
【００１４】
図２に示す通り、二股状の柄２には、泡立て部の側に容器の縁に引っ掛けておくことが出来る突起部４を設け、泡立て作業を中断する際は、柄２の突起部４を容器の縁に引っ掛けておくことが出来るようになっている。
図３に示す通り、この柄２の突起４の代わりに、泡立て部の柄に取り付ける側にフック５を設け容器の縁に引っ掛けるようにしても良い。
【実施例２】
【００１５】
図４は、本発明の泡立て器の実施例２を示すもので、泡立て器１は、二股状の柄２と、二股状の柄２の両先端部に取り付けられた複数本の線条からなる泡立て部３と、を含んで構成される。
二股状の柄２は、板厚０．６ｍｍ、幅１５ｍｍのステンレス製で、柄の長さは１５０ｍｍである。柄２は、曲率１０ｍｍでステンレス板を曲げ加工したものである。
【００１６】
ステンレス製の柄２の両先端部には、直径０．５ｍｍのステンレス線が、各端部当たり５本ずつ取り付けてある。
泡立て部３は、全長が１００ｍｍで、そのうち直線部は５０ｍｍ、直線部の先は半径５０ｍｍの円弧に加工されており、円弧の先端には、直径２ｍｍのステンレス製頭部７が取り付けてある。
【実施例３】
【００１７】
図５は、本発明の泡立て器の他の実施例を示すもので、泡立て器１は、２本の柄２と、２本の柄２の両先端部に取り付けられた複数本の線条からなる泡立て部３と、を含んで構成される。
柄２は、板厚０．６ｍｍ、幅１５ｍｍのステンレス製で、柄の長さは１５０ｍｍである。２本の柄２の根元部は、柄が開閉可能となるように連結されており、２本の柄の間には、ばね６を取り付け、ばね６により泡立て部３の先端が開くようになっている。
【００１８】
以下に、本発明による泡立て器１の使用法について説明する。
泡立て器１を使用して食材の泡立てを行なう場合は、柄２を握って泡立て部の先端を閉じ、食材に浸して回転させる。
泡立て器１を食材の中に浸して回転させると、食材が泡立て器の閉じた先端部に堆積するようになる。食材の堆積が増えて回転に余計な力を必要とするようになった場合や、食材の堆積により泡立て器を回転させても泡立てが効率よくできなくなった場合には、本体部を握っている力を緩め、泡立て部先端を開く。
【００１９】
泡立て部を開いた状態にすると、先端部に堆積していた食材は自然に泡立て部から離脱し、食材溜まりに落下する。離脱しない食材があった場合も、泡立て部先端が開いた状態であるため、ブラシや刷毛などにより容易に離脱させることが出来る。
【００２０】
本発明の泡立て器１では、泡立て作業中でも本体部の柄を開くことで容易に先端部の食材堆積を落とすことが出来るため、泡立て作業を極めて効率的に行なうことが出来る。
また、泡立て器１の使用途中で泡立て器１を仮置きする場合は、容器の縁に柄の突起部４または線条体のフック５を引っ掛けることで、泡立て器１が容器中の食材の中に埋没するのを防ぐことが出来る。
【図面の簡単な説明】
【００２１】
【図１】本発明による泡立て器の実施例を示す斜視図で、先端が閉じた状態と開いた状態を示す。
【図２】本発明による泡立て器の柄に突起を取り付けた図である。
【図３】本発明による泡立て器の泡立て部にフックを取り付けた図である。
【図４】本発明による泡立て器の別の実施例を示す斜視図である。
【図５】本発明による泡立て器の別の実施例を示す斜視図である。
【符号の説明】
【００２２】
１  泡立て器
２  本体
３  泡立て部
４  突起
５  フック
６  ばね
７  頭部
【図１】
2008307243.tif 000003
【図２】
2008307243.tif 000004
【図３】
2008307243.tif 000005
【図４】
2008307243.tif 000006
【図５】
2008307243.tif 000007